(57)【要約】      （修正有）【課題】直近に服薬した日付と時間帯を設定記録することにより、任意に確認ができるように情報を保存と表示する器具を提供する。【解決手段】文字回転シート１２と表面シート１０を重ね合わせ、文字回転シートの中心軸を表面シートに連結して文字回転シートが中心軸を中心に回転可能な構造とし、表面シートの文字表示窓２０から文字等が読み取れる構造とし、服薬を済ませた現在の日付と時間帯を、文字回転シートを回転させ記録しておくことで服薬の記録が随時確認できる。更に表面シート等に備えられた情報表示エリアを利用して、病院と薬局などから患者への情報伝達に、使用者に服薬の動機付けを行うこと、スポンサーから使用者への宣伝をすることなどが可能である。【選択図】図６
2014138631.tif 000002
【特許請求の範囲】
【請求項１】
表面シートと文字回転シートで構成し、文字回転シートの形状により規定された位置に文字回転シート中心軸を設け、文字回転シートと表面シートをこの中心軸にて連結し、中心軸を中心として文字回転シートを回転可能とし、文字回転シートに予め表示されている文字、記号、絵、写真などを、表面シートに設けられた文字表示窓から読み取れる構造を備えたことを特徴とする服薬記録器。
【請求項２】
表面シートと裏面シートと文字回転シートで構成し、表面と裏面のシートの中間に文字回転シートを挟んだ構造とし、文字回転シートの形状により規定された位置に文字回転シート中心軸を設け、文字回転シートと表面シートか裏面シートか又はその両シートをこの中心軸にて連結し、中心軸を中心として文字回転シートを回転可能とし、文字回転シートに予め表示されている文字、記号、絵、写真などを、表面シートか裏面シートか又は双方に設けられた文字表示窓から読み取れる構造を備えたことを特徴とする服薬記録器。
【請求項３】
表面シートと裏面シートと複数の文字回転シートで構成し、文字回転シートの形状により規定された単独又は複数の位置に文字回転シート中心軸を設け、文字回転シートと表面シートか裏面シートか又はその両シートをこの中心軸にて連結し、単独又は複数の中心軸を中心として単独又は複数の文字回転シートを回転可能とし、単独又は複数の文字回転シートに予め表示された文字、記号、絵、写真などを、表面シートと裏面シートに設けられた１つ又は複数の文字表示窓から読み取れる構造を備えたことを特徴とする服薬記録器。
【請求項４】
文字回転シートと日付選択バーと時間帯選択バーで構成し、文字回転シートの形状により規定された位置に文字回転シート中心軸を設け、日付選択バー及び時間帯選択バーを単独又は複数のこの中心軸にて連結し、単独又は複数の中心軸を中心として日付選択バーと時間帯選択バーが回転可能とし、文字回転シートに予め表示されている文字、記号、絵、写真などを日付選択バーと時間帯選択バーに備えられた文字表示窓から読み取れる構造を備えたことを特徴とする服薬記録器。
【請求項５】
文字回転シートと、表面シートと裏面シートの両方又は片方のシートで構成し、文字回転シートの回転動作を一定の位置で動作するよう、表面シートか裏面シートか又は双方にガイドの構造を備え、文字回転シートの中心軸は設けないで文字回転シートが回転動作可能とし、文字回転シートに予め表示されている文字、記号、絵、写真などを表面シートと裏面シートに設けられた単独又は複数の文字表示窓から読み取れる構造を備えたことを特徴とする服薬記録器。
【請求項６】
前記文字回転シートを回転移動させるために、指でつまむか指をかけることが可能となるように文字回転シートを露出させるつまみ部分を、表面シートと裏面シートに１カ所か又は複数箇所に備えたことを特徴とする請求項２又は３又は５のいずれか１つに記載の服薬記録器。
【請求項７】
前記文字回転シートには、事象を表示するための数字、文字、記号、絵、写真などのいずれか又はそれらを組み合わせた内容で、表示窓に対応した規則的位置に予め表示されていることを特徴とする請求項１から５のいずれか１つに記載の服薬記録器。
【請求項８】
前記表面シートと裏面シートと文字回転シートに、その任意の１カ所又は複数の位置に、任意に利用可能な情報を表示するエリアを備えたことを特徴とする請求項１から５のいずれか１つに記載の服薬記録器。
【請求項９】
表面シート又は裏面シートに対し文字回転シートが回転動作をすることにより、表面シート又は裏面シートと文字回転シートに予め表示されている模様か又はシートの形状か又はそれらを組み合わせた模様又は形状が、その回転に合わせて逐次変化して認識される機能を備えたことを特徴とする請求項１から５のいずれか１つに記載の服薬記録器。
【発明の詳細な説明】
【技術分野】
【０００１】
本発明は、服薬の行為を記録する器具に関するものであり、直近に服薬した日付と時間帯を設定記録することにより、任意に確認ができるように情報を保存と表示する器具に関するものである。
【背景技術】
【０００２】
従来より服薬に関しては、その行為を実行したか否かが後になり思い出せないことが多々有り、患者とその家族を悩ませている。
そのような悩みを解消するために多種多様な器具が使用されてきた。
その代表的なものが（特開２００２−１２３１７３）に代表されるもので、事前に薬を小分けして服薬予定日と時間帯の該当するポケットに入れておくものである。
これは服薬の実績を確認するには良いが、事前に小分けして該当するポケット内に分配しておく手間がかかることと、利用の形態が点眼や塗布のように単一の容器を連続して使用する場合に適用できないこと、器具が大がかりでコストも比較的高額となる欠点が有った。
【先行技術文献】
【特許文献】
【０００３】
【特許文献１】特開２００２−１２３１７３
【発明の概要】
【発明が解決しようとする課題】
【０００４】
服薬したかどうか思い出せず不安になること、服薬を忘れて漏らすこと、重複して服薬してしまうこと、いずれも患者に良くない結果を招く。簡便な方法で服薬を忘れていないか確認できる器具が望まれる。
【課題を解決するための手段】
【０００５】
本器具に服薬の記録として、服薬を済ませたその時の日付と時間帯を設定して残しておくことで随時確認できるようにする。
本器具の代表的構造では、表面シート（１０）と裏面シート（１１）と文字回転シート（１２）の３枚のシートで構成し、文字回転シート（１２）と表面シート（１０）か裏面シート（１１）か又はその両シートに中心軸にて連結し、その中心軸を中心として文字回転シート（１２）を回転させて、表面シート（１０）と裏面シート（１１）に設けられた文字表示窓から、日付と時間帯などの数字、文字、記号、絵などが読み取れる構造とし、服薬の記録と必要によりその他の情報を表示可能とする。
更に別の構造として、表面シート（１０）に対しその表側に重ねた文字回転シート（１２）の２枚のシートで構成し、表面シート（１０）の１カ所又は複数箇所を文字回転シート（１２）の表側に取り出す形で組み合わせ、文字回転シート（１２）がその部分をガイドとして回転可能としたことにより、表面に取り出された表面文字表示窓（２０）より同様に情報が読み取れる構造とする。更に表面シート（１０）に対し文字回転シート（１２）を裏側に重ねた別の構成も同様の機能を持たせることが可能である。  
【０００６】
本器具の材質は紙又は樹脂等で作成し、大きさも薬袋に入る大きさにすることにより、薬と一緒に薬袋に保管することが可能となり服薬の記録を漏らすことなく便利であるが、この大きさに限定されるものではない。
文字回転シート（１２）に表示される表示期間の開始日と終了日及び１日の服薬回数により表示に必要な情報量が決定されるので、その情報量に合わせ文字回転シート（１２）に収容する情報の表示のパターンを、複数用意して患者の状況に合致した最適なパターンを選択して使用すると良い。
更に本器具の表面と裏面には情報表示エリアを備え、病院や薬局から使用者に有用な情報提供エリアとして使用するか、スポンサーから使用者に宣伝のための情報表示エリアとして使用することが可能である。
各図面に情報表示エリア（２２）の形状を簡略的に表示してあるが、この形状は利用可能領域の一例であり、利用可能領域はこの形状に規定されるものではない。更に各図面には、器具全体の形状と表面文字表示窓（２０）の形状と文字回転シート（１２）の形状を簡略的に円形や方形に表現してあるが、この形状に限定されるものではない。
更に文字表示窓から表示される文字回転シート（１２）に表示された文字の内、例えば２６夜などの表示内容は、２６が日付を夜が１日の内の夜の時間帯を表現している。
図１（ｂ）のごとく、文字回転シート（１２）に表示された文字の並びと同位置に描かれた円周の矢印線は、具体的表示を省略した同様の日付と時間帯などが連続して表示されていることを表している。
【発明の効果】
【０００７】
本発明によれば、使用者が服薬の記録を残す行為によるか、表面デザインの変化を使用者が完成に向けて毎日操作することにより、服薬行為に対する意識と記憶が強く印象づけられ、服薬忘れの防止に効果が有ると共に、事後に服薬の確認ができ、飲み忘れの不安と飲み忘れ及び重複して飲んでしまうことを減少させることができる。
更に本発明では外面に情報表示エリアを備え、病院・薬局から使用者への情報提供、又はスポンサーから使用者に向けた宣伝に利用できる。  
【図面の簡単な説明】
【０００８】
【図１】表面シートと文字回転シートの２枚型の構造図１
【図２】表面シートと文字回転シートの２枚型の構造図２
【図３】表面シートと文字回転シートの２枚型の構造図３
【図４】中心軸無しの２枚型の構造図
【図５】中心軸無しの３枚型の構造図
【図６】３枚型の外観斜視図
【図７】３枚型の構成概略図
【図８】文字選択バー型の構造図
【図９】表面の文字回転シート複数型の概略図
【図１０】中心軸移動可能型の概略図
【図１１】楕円形型の概略図
【図１２】３角形型の概略図
【図１３】２枚型の裏面概略図
【図１４】３枚型の裏面概略図
【図１５】３枚型の裏面複数用途利用の概略図
【図１６】文字表示窓への各種表示形式の例
【図１７】表面・裏面シートの連結方法の例
【図１８】文字回転シートと表面つまみ部リミッターの拡大図
【図１９】中心軸の各種構造の概略図
【図２０】器具の形状とデザインの例
【発明を実施するための形態】
【０００９】
（２枚型回転シート裏、中心軸有り）図１又は図２に示すごとく、表面シート（１０）とその裏側に重ねた文字回転シート（１２）の２枚のシートで構成し、表面シート（１０）の１カ所又は複数箇所に切断部を設け、その切断部より文字回転シート（１２）を表面に取り出す形で組み合わせて文字回転シート（１２）のガイドとしたこと、及び文字回転シート（１２）の形状により規定された位置に文字回転シート中心軸（４２）を設けて、表面シート（１０）と連結し、この中心軸を中心として文字回転シート（１２）が回転することにより、表面シート（１０）に設けられた表面文字表示窓（２０）より、文字回転シート（１２）に予め表示された文字、記号、絵、写真などの所定の部分が読み取れる構造を備えることにより、服薬の記録を設定及び確認することが可能となる。
【００１０】
（２枚型回転シート表、中心軸有り）図３に示されるごとく、表面シート（１０）に対しその表側に重ねた文字回転シート（１２）と２枚のシートで構成し、表面シート（１０）の１カ所又は複数箇所を文字回転シート（１２）の表側に取り出す形で組み合わせて文字回転シート（１２）のガイドとしたこと、及び文字回転シート（１２）の形状により規定された位置に文字回転シート中心軸（４２）を設けて、表面シート（１０）と連結し、この中心軸を中心として文字回転シート（１２）が回転することにより、表面に取り出された表面文字表示窓（２０）より文字回転シート（１２）に予め表示されている文字、記号、絵、写真などの所定の部分が読み取れる構造を備えることにより、服薬の記録を設定及び確認することが可能となる。
【００１１】
（３枚型中心軸有り）図７に示されるごとく表面シート（１０）と裏面シート（１１）と文字回転シート（１２）の３枚のシートで構成し、文字回転シート（１２）の形状により規定された位置に文字回転シート中心軸（４２）を設けて、表面シート（１０）か裏面シート（１１）か又はその両シートと中心軸にて連結し、中心軸を中心として文字回転シート（１２）が回転することにより、表面シート（１０）と裏面シート（１１）に設けられた文字表示窓（２０）より文字回転シート（１２）に予め表示された文字、記号、絵、写真などの所定の部分が読み取れる構造を備えることにより、服薬の記録と確認及びその他の情報を表示可能とする。
【００１２】
（３枚型中心軸無し）図５に示されるごとく表面シート（１０）と裏面シート（１１）と文字回転シート（１２）の３枚のシートで構成し、中心軸は設けないで、表面シート（１０）と裏面シート（１１）の両シートが文字回転シート（１２）の回転動作に対してガイドの役目を果たし、その中で文字回転シート（１２）を回転可能とすることにより、表面シート（１０）又は裏面シート（１１）又はその双方に設けられた文字表示窓（２０）より文字回転シート（１２）に予め表示されている文字、記号、絵、写真などの所定の部分が読み取れる構造を備えることにより、服薬の記録とその他の情報を表示可能とする。
【００１３】
（複数の文字回転シート）図９に示されるごとく表面シート（１０）と裏面シート（１１）と複数の文字回転シート（１２）で構成し、図９（ｂ）、（ｃ）のごとく日付回転シート（４３）と時間帯回転シート（４４）のごとく複数の文字回転シート（１２）に対し、図９（ａ）に示される表面シート（１０）の表面日付表示窓（４７）と表面時間帯表示窓（４８）のごとく複数の表示窓を備えることによりそれぞれ独立した情報を表示可能とし、表示可能期間の延長や、異なった複数の情報を表示させることが可能となり、より利便性を高めることや利用の範囲を拡大することが可能となる。
【００１４】
（日付選択バー型）図８に示すごとく、文字回転シート（１２）と日付選択バー窓（５０）を備えた日付選択バー（１４）及び時間帯選択バー窓（５２）を備えた時間帯選択バー（１５）で構成し、文字回転シート（１２）の形状により規定された単独又は複数の位置に中心軸を設け、日付選択バー（１４）及び時間帯選択バー（１５）が中心軸で連結され、中心軸を中心として日付選択バー（１４）及び時間帯選択バー（１５）が文字回転シート（１２）に対して回転可能とすることにより、日付選択バー（１４）に備えられた日付選択バー窓（５０）と時間帯選択バー（１５）に備えられた時間帯選択バー窓（５２）より文字、記号、絵、写真などの所定の部分が読み取れる構造を備えることにより、服薬の記録とその他の情報を表示可能とする。
図８（ｂ）に示すごとく、日付選択バー（１４）及び時間帯選択バー（１５）は日付選択バー圧迫部（５１）と時間選択バー圧迫部（５３）により文字回転シート（１２）を挟み圧迫する構造になっていて、必要に応じて文字回転シート（１２）の裏面に設けられた凹凸と相まって、日付選択バー（１４）及び時間帯選択バー（１５）が不用意に回転移動しない構造を備えている。
【００１５】
（中心軸移動可能型）図１０（ａ）に示されるごとく、文字回転シート（１２）に固定された中心軸を設け、中心軸の移動が可能となるよう表面シート（１０）又は裏面シート（１１）又は双方に設けられた表面中心軸ガイド部（２９）の穴の範囲で、文字回転シート（１２）を移動して使用することにより、図１０（ｂ）に示されたように文字回転シート（１２）の同心円上に表示された別の文字列を表示することが可能となり、表示できる情報量を増加させることが可能となる。
【００１６】
（文字回転シート）図１（ｂ）又は図１０（ｂ）に代表して示すごとく、文字回転シート（１２）には事象の設定と表示をするための数字、文字、記号、絵、写真などのいずれか又はそれらを組み合わせて表示してあり、その位置は表面シート（１０）の表面文字表示窓（２０）の位置に対応するよう規則的に配置されている。
図１（ａ）に表示されている２６夜などの表示内容は、２６が日付を夜が１日の内の夜の時間帯を表現している。図１（ｂ）に示される文字列の並びと同位置に描かれた円周の矢印線は、具体的表示を省略してあるが同様の日付と時間帯が連続して表示されていることを表している。
図７の表面文字表示窓（２０）に表示される文字群の配列は、連続した日付となっていてその日付群の最終日が、図１４に示される裏面文字表示窓（３０）に同内容で表示されるように文字回転シート（１２）の表と裏に表示される文字などの配列が作成されている。このように裏面に表面から継続した日付を配置することにより、表面の最終日から裏面の最初の日へと継続して使用が可能となる。これにより長期間連続して使用可能となると共に、パターンの種類によっては表、裏、表と継続してエンドレスで長期間使用することも可能となる。
図１８に拡大して示すごとく、文字回転シート（１２）の外周には指を使って回転動作をさせるための凹凸が刻まれている。また文字回転シート（１２）に表示されている文字列などの位置は、図１（ｂ）のごとく１列とするか、又は図１０（ｂ）に示されるように同円周上に２列を表示するか、図９（ｂ）、（ｃ）のごとく独立した位置に表示することにより情報量を増加させるか、又は異なった情報を表示することが可能となる。
【００１７】
（中心軸の構造）図１９に示すごとく表面シート（１０）と裏面シート（１１）と文字回転シート（１２）の各々の関係と中心軸部分の構造には、図１９（ａ）、（ｂ）、（ｅ）、（ｊ）、（ｋ）に示されるごとく文字回転シート中心軸（４２）の具材を使用して文字回転シート（１２）と、表面シート（１０）裏面シート（１１）のどちらか又は双方に連結する方法と、図１９（ｃ）、（ｄ）、（ｆ）、（ｇ）、（ｈ）、（ｉ）に示されるごとく中心軸具材を使用せず各々の中心軸部分で対応する他のシートを包み込むように折り返して連結する方法のいずれも可能である。
図１５に示されるごとく、裏面専用の文字回転シート（１２）を使用する場合は、表面シート（１０）、裏面シート（１１）、表面の文字回転シート（１２）、裏面の文字回転シート（１２）、更に必要に応じてその両面の文字回転シート（１２）の中間にセパレートするシートを設けることとなり、シートの枚数が増加するが、個別の文字回転シート（１２）の中心軸に着目すると、構造は図１９に示されたものと同じと理解して良いので、図１９では図示を省略してある。
また中心軸の穴が外面に見えて不都合となる利用形態の場合には、図１９（ｈ）、（ｉ）、（ｊ）、（ｋ）のごとく中心軸とその穴部分にカバーする、中心軸カバー（４９）を使用して見えなくすることも可能である。
【００１８】
（各種形状１）図１１及び図１２に示されるごとく、使用される状況と要求される機能に応じて、方形や円形以外に変化させた形状の器具を使用し、基本機能である服薬記録と共にその他の機能を盛り込むことも可能である。
図１１では楕円を、図１２では３角形を示したが、その他にも自由な形状を使用可能である。
【００１９】
（各種形状２）本器具の形状と外面のデザインを利用する他の機能の一例を示すと、図２０（ａ）と（ｂ）では動物などをモチーフにした一例を示していて、朝から昼と夜の時間帯に進むことにより動物の耳が逐次形成されて行く状況を示し、図２０（ｃ）、（ｄ）、（ｅ）と（ｆ）、（ｇ）では、器具全体の形状又は外面から確認できる表示の模様が（ｃ）の３角形から（ｅ）の４角形になり、（ｆ）の類似３角形が（ｇ）の星形に変化するごとく、服薬期間に合わせ服薬行為の蓄積により形状の完成に向け逐次形成されてゆき、期間の終了時に一定の形状が完成される様子を示している。
その他に、例えば日の出から日の入りまでの太陽の軌跡を示すデザイン、ピッチャーの投げたボールがバッターに届くまでにたどる軌跡のデザイン、ゴルフのスイングの進行を示す姿勢の変化など多種多様なデザインによる表示が可能であり、使用者がこれらのデザインの変化とその進行に興味を持ち、デザインの完結に向け服薬の行為と関連付けて記憶させることにより、積極的に服薬を行うための動機付けに使用すると良い。      
図２０に示された形状は簡略的に表示した一例であり、利用可能な形状はこの形状と範囲に限定されるものではない。
【００２０】
（裏面の任意利用）図１５及び図１６（ｆ）、（ｇ）は裏面を服薬の記録以外の用途に使用する例を表しているが、表面では服薬記録を表示する文字回転シート（１２）を使用し、裏面では図１５のごとく表の面から独立した裏面専用の文字回転シート（１２）を備えることにより、表面と同様の操作で他の記録用途に使用することも可能である。図１５では３つの裏面文字表示窓（３０）を使用する例を示したが、１つ又は任意の複数の裏面表示窓(３０）を使用し、それらを関連付けて使用するか又は独立して使用することにより複数の用途に使用できる構造とすることも可能である。
図１５に示される構造では表面に使用する文字回転シート（１２）と裏面に使用する文字回転シートの間に、図示は省略するが両回転シートの接触を避ける目的で新たなシートを追加して使用しても良い。
【００２１】
（情報表示エリア）本器具の表面と裏面の利用については、図１と図７と図１４に代表して示されるごとく表面シート（１０）と裏面シート（１１）とその１カ所又は複数の任意の位置に、任意に利用可能な情報表示エリア（２２）を備え、病院や薬局から使用者に情報を提供する用途に使用するか、スポンサーから使用者に宣伝のための用途に使用するか情報表示エリア（２２）を活用して情報提供者と使用者の双方に有益な活用が可能である。
更に文字回転シート（１２）を情報表示エリア（２２）に使用する場合は、図３、４に代表して示されるごとく文字回転シート（１２）が表面に現れた形状では文字回転シート（１２）の表面を使用し、文字回転シート（１２）の裏面を利用する場合は、図１３に示されるごとく文字回転シート（１２）の裏面を情報表示エリア（２２）として使用可能である。
各図面に情報表示エリア（２２）の形状を簡略的に表示してあるが、この形状は利用可能領域の一例でありそれぞれこの形状に規定されるものではない。
【００２２】
（つまみ部）図６及び図１４で示すように表面シート（１０）と裏面シート（１１）には、文字回転シート（１２）を回転移動させるために文字回転シート（１２）を指でつかむか、指をかけられるように文字回転シート（１２）を露出させる表面つまみ部（２３）と裏面つまみ部（３３）を備え、指で文字回転シート（１２）を一定距離回転移動させることにより、表面文字表示窓（２０）と裏面文字表示窓（３０）で、文字回転シート（１２）に予め表示されている文字、記号、絵、写真などの所定の部分が読み取れる。
図１、２、３、４に示すごとく表面シート（１０）と文字回転シート（１２）の２枚で構成する構造では、図７に代表して示されるような表面つまみ部（２３）、図１４に代表して示されるような裏面つまみ部（３３）を設けても良いが、また設けないでも使用が可能な構造となっている。
【００２３】
（表示窓の数）図９、１１、１２、１５に示すごとく、表面シート（１０）に複数の表面文字表示窓（２０）を、裏面シート（１１）に複数の裏面文字表示窓（３０）を備えることにより、服薬の情報を項目毎に分割して表示するか、又はその他の任意な情報を追加して表示することが可能である。
【００２４】
（表示窓の表示形態）図１６の（ａ）から（ｅ）は服薬記録の窓から表示される文字などの表示形式の例を示している。服薬の期間と１日当たりの服薬回数に従って文字回転シート（１２）に収容が必要となる情報量が決定されるが、使用者の状況に従い必要となる表示情報量に合わせて最適な表示形式を選択して使用すると良い。
図１６の（ａ）から（ｅ）では日付を表す数字と時間帯を表す朝昼夜などの文字を表現しているが、この数字や文字に替えて記号、絵、写真などを使用して情報表示の目的を達成することも可能である。
その他に、服用と休止の期間を繰り返すパルス療法では、服用停止の期日と再度服用を開始する期日を設定表示しておく用途にも有効である。これらの情報を設定後は変更の不要な表示に関しては、図示を省略してあるがレバー部分を文字回転シートに入れ込み、設定された情報の移動が生じないように文字回転シートを固定する構造を備えている。
図１６の（ｆ）と（ｇ）は服薬記録以外の目的に利用する一例を示したものであり、東海道五十三次や四国霊場８８カ所巡りなど連続した事柄等かクイズ形式の題材を使用する等、使用者に本器具の使用を通じて積極的な服薬の動機付けがされるように使用すると良い。
【００２５】
（表面と裏面の連結）図１７に表面シート（１０）と裏面シート（１１）の連結の形態を示す。図１７（ａ）に示すごとく表面シート（１０）と裏面シート（１１）を袋状連結部（１６）にて袋状に連結して一体の構造とするか、図１７（ｂ）に示すごとく表面シート（１０）と裏面シート（１１）の外周部の必要部分をスポット状連結部（１７）にてスポット状に連結する構造のいずれも可能である。そして連結された表面シート（１０）と裏面シート（１１）の内部に日付などの文字を表示した文字回転シート（１２）を入れて、文字回転シート（１２）の形状により規定された位置で、文字回転シート（１２）に対して連結が必要となる表面シート（１０）と裏面シート（１１）を選択して連結し、中心軸を中心に文字回転シート（１２）が回転する。
【００２６】
（文字回転シートの構造）図１８は表面つまみ部（２３）に文字回転シート（１２）が現れている部分を拡大して表したものである。文字回転シート（１２）の外周部の凹部分に指をかけ表面つまみ部リミッター（２７）へ向けて指を動かせば文字回転シート（１２）が回転移動し、表面つまみ部リミッター（２７）に指は当たり停止するが、この停止状態の時に表面文字表示窓（２０）には、文字回転シート（１２）の所定の文字が正しく収まった位置で表示される関係にある。
【００２７】
（使用法）本器具の使用方法は、薬袋に収容してある薬と本器具を一緒に取り出して、服薬毎に本器具の表示を１つ進めるだけの簡単な操作で服薬の実績を記録可能である。
図１８に示される文字回転シート（１２）に指をかけて表面つまみ部リミッター（２７）に当たるまで回すか、又はつまんで１つ進めるように回転させ、表面文字表示窓（２０）から見える文字などを現在の日付と時間帯に合わせることにより、最後に服薬した日付と時間帯が設定保存される。
文字回転シート（１２）に表示する情報に付いては、１日の服薬回数、処方服薬期間、服薬の初日の日付に応じて、各種の表示パターンを備えた文字回転シート（１２）を複数用意し、処方の都度使用者に合わせて最適なものを選択して使用すると良い。
【符号の説明】
【００２８】
１０  表面シート  
１１  裏面シート
１２  文字回転シート
１４  日付選択バー
１５  時間帯選択バー
１６  袋状連結部
１７  スポット状連結部
２０  表面文字表示窓
２２  情報表示エリア
２３  表面つまみ部
２４  表面中心軸
２５  表面回転シートベース部
２６  表面回転シート押さえ部
２７  表面つまみ部リミッター
２８  表面時間帯つまみ部
２９  表面中心軸ガイド部
３０  裏面文字表示窓                 
３３  裏面つまみ部     
３４  裏面中心軸               
３５  裏面回転シートベース部   
３６  裏面回転シート押さえ部   
３７  裏面つまみ部リミッター
３９  裏面中心軸ガイド部
４０  文字回転シート表示文字部
４１  文字回転シートつまみ部
４２  文字回転シート中心軸
４３  日付回転シート
４４  時間帯回転シート
４５  日付表示部
４６  時間帯表示部
４７  表面日付表示窓
４８  表面時間帯表示窓
４９  中心軸カバー
５０  日付選択バー窓
５１  日付選択バー圧迫部
５２  時間帯選択バー窓
５３  時間帯選択バー圧迫部
【図１】
2014138631.tif 000003
【図２】
2014138631.tif 000004
【図３】
2014138631.tif 000005
【図４】
2014138631.tif 000006
【図５】
2014138631.tif 000007
【図６】
2014138631.tif 000008
【図７】
2014138631.tif 000009
【図８】
2014138631.tif 000010
【図９】
2014138631.tif 000011
【図１０】
2014138631.tif 000012
【図１１】
2014138631.tif 000013
【図１２】
2014138631.tif 000014
【図１３】
2014138631.tif 000015
【図１４】
2014138631.tif 000016
【図１５】
2014138631.tif 000017
【図１６】
2014138631.tif 000018
【図１７】
2014138631.tif 000019
【図１８】
2014138631.tif 000020
【図１９】
2014138631.tif 000021
【図２０】
2014138631.tif 000022